(57)【要約】      （修正有）【課題】塗布液を毛髪や頭、顔の皮膚の必要とする場所へ十分かつ適量塗布する。【解決手段】塗布液を塗布する塗布部１０と、塗布部１０に供給する塗布液を貯留する液貯蔵部２０を有する液塗布用具であり、塗布部１０は、液貯蔵部２０に連通し塗布液を吐出させる吐出通路５０と、吐出通路５０の吐出側を覆う塗布カバー６０と、を有し、塗布カバー６０は、可とう性部材で形成された構成であり、塗布カバー６０の吐出先にスリット６０ｂを有し、スリット６０ｂは、液貯蔵部２０に押し圧力がかからないときには閉じ、塗布液の吐出を規制し、液貯蔵部２０に押し圧力がかかるときに押し圧力に応じて開き、塗布液を吐出させ、押し圧力に応じて塗布液の吐出量を変化させる。【選択図】図２
2015196519.tif 000002
【特許請求の範囲】
【請求項１】
塗布液を塗布する塗布部と、
前記塗布部に供給する塗布液を貯留する液貯蔵部を有する液塗布用具であり、
前記塗布部は、
前記液貯蔵部に連通し塗布液を吐出させる吐出通路と、
前記吐出通路の吐出側を覆う塗布カバーと、を有し、
前記塗布カバーは、可とう性部材で形成された構成であり、
前記塗布カバーの吐出先にスリットを有し、
前記スリットは、
前記液貯蔵部に押し圧力がかからないときには閉じ、塗布液の吐出を規制し、
前記液貯蔵部に押し圧力がかかるときに押し圧力に応じて開き、塗布液を吐出させ、
前記押し圧力に応じて塗布液の吐出量を変化させることを特徴とする液塗布用具。
【請求項２】
塗布液を毛髪や頭皮に塗布する塗布部と、
前記塗布部に供給する塗布液を貯留する液貯蔵部を有する液塗布用具であり、
前記塗布部は、
前記液貯蔵部に連通し塗布液を吐出させる吐出通路と、
押し上げにより移動して前記吐出通路を開き塗布液を吐出させる導き機能を有する中棒部材と、
前記中棒部材を前記吐出通路を閉じ方向に付勢し、押し上げ力に対して負荷を与える付勢手段と、
前記吐出通路の吐出側を覆う塗布カバーと、を有し、
前記中棒部材は、
先端側が前記塗布カバーの吐出孔部を貫通して突出し、押し上げにより移動して前記吐出通路を開き、前記吐出孔部から塗布液を吐出させ、
前記塗布カバーは、可とう性部材で形成された構成であり、
前記塗布カバーの吐出孔部に接続したスリットを有し、
前記スリットは、
前記液貯蔵部に押し圧力がかからないときには閉じ、塗布液の吐出を規制し、
前記液貯蔵部に押し圧力がかかるときに押し圧力に応じて開き、塗布液を吐出させ、
前記押し圧力に応じて塗布液の吐出量を変化させることを特徴とする液塗布用具。
【請求項３】
前記中棒部材は、
前記塗布カバーの吐出孔部を貫通して突出する先端に大径部を有し、
押し上げにより移動する前記大径部と、前記塗布カバーとが当接し、
前記大径部が前記スリットの押し圧力に応じた開きを規制することを特徴とする請求項２に記載の液塗布用具。
【請求項４】
前記中棒部材は、
前記塗布カバーの吐出孔部を移動可能にする環状凹み部を有し、
押し上げにより移動して前記環状凹み部の突出側段部が、前記塗布カバーに当接して前記スリットの押し圧力に応じた開きを規制することを特徴とする請求項２に記載の液塗布用具。
【発明の詳細な説明】
【技術分野】
【０００１】
この発明は、育毛剤や整髪料、洗浄剤、化粧剤、美容剤等の塗布液を貯留する液貯蔵部を有し、これらの塗布液を毛髪や頭、顔の皮膚の必要とする場所へ適量塗布することのできる液塗布用具に関する。
【背景技術】
【０００２】
泡状整髪料等の塗布液を毛髪に塗布するようにしたものとして、特開平１０−３３２６５号公報に開示され、このものは、ブラシの毛の先端に栓が設けられ、栓を棒状体として、ブラシで頭皮を叩いてマッサージする時に、栓が引っ込んで塗布液が塗布される。さらに、頭髪への育毛剤や頭皮痛み保護のトニック液などの塗布液を塗布する点滴用具があり、この点滴用具は瓶口元中栓の中心孔から塗布液を頭髪や頭皮に手で振りかけている。また、特許第４７５３２３３号公報に開示されるものがあり、このものは、塗布液を計量室で計量し、押込み棒を頭皮に押し当てたときのみ計量室の塗布液を塗布する。
【先行技術文献】
【特許文献】
【０００３】
【特許文献１】特開平１０−３３２６５号公報
【特許文献２】特許第４７５３２３３号公報
【発明の概要】
【発明が解決しようとする課題】
【０００４】
しかしながら、栓を棒状体として、ブラシで頭皮を叩いてマッサージする時に、栓が引っ込んで塗布液が塗布されるため、塗布液を十分に塗布することができない。一方、点滴用具では、上から下に振って頭部寸前で自分で止めるために振られた反応に反動で頭部に当たり、怪我をしてしまう虞がある。また、振り方加減で塗布液の出が大きくバラつき多く出しすぎると顔にまで流れて刺激が大きい塗布液であるが故に顔皮膚を痛めてしまい、仮に少量だと何回も繰り返しを余技なくされ、頭皮の毛穴に塗布液を浸透させることはできなかった。また、塗布液を計量室で計量し、押込み棒を頭皮に押し当てたときのみ計量室の塗布液を塗布するものは、計量された量しか塗布することができなかった。
【０００５】
この発明は、これら従来の問題点を解消し、塗布液を毛髪や頭、顔の皮膚の必要とする場所へ十分かつ適量塗布することができる液塗布用具を提供することを目的とするものである。
【課題を解決するための手段】
【０００６】
前記課題を解決し、かつ目的を達成するために、この発明は、以下のように構成した。
【０００７】
請求項１に記載の発明は、塗布液を塗布する塗布部と、
前記塗布部に供給する塗布液を貯留する液貯蔵部を有する液塗布用具であり、
前記塗布部は、
前記液貯蔵部に連通し塗布液を吐出させる吐出通路と、
前記吐出通路の吐出側を覆う塗布カバーと、を有し、
前記塗布カバーは、可とう性部材で形成された構成であり、
前記塗布カバーの吐出先にスリットを有し、
前記スリットは、
前記液貯蔵部に押し圧力がかからないときには閉じ、塗布液の吐出を規制し、
前記液貯蔵部に押し圧力がかかるときに押し圧力に応じて開き、塗布液を吐出させ、
前記押し圧力に応じて塗布液の吐出量を変化させることを特徴とする液塗布用具である。
【０００８】
請求項２に記載の発明は、塗布液を毛髪や頭皮に塗布する塗布部と、
前記塗布部に供給する塗布液を貯留する液貯蔵部を有する液塗布用具であり、
前記塗布部は、
前記液貯蔵部に連通し塗布液を吐出させる吐出通路と、
押し上げにより移動して前記吐出通路を開き塗布液を吐出させる導き機能を有する中棒部材と、
前記中棒部材を前記吐出通路を閉じ方向に付勢し、押し上げ力に対して負荷を与える付勢手段と、
前記吐出通路の吐出側を覆う塗布カバーと、を有し、
前記中棒部材は、
先端側が前記塗布カバーの吐出孔部を貫通して突出し、押し上げにより移動して前記吐出通路を開き、前記吐出孔部から塗布液を吐出させ、
前記塗布カバーは、可とう性部材で形成された構成であり、
前記塗布カバーの吐出孔部に接続したスリットを有し、
前記スリットは、
前記液貯蔵部に押し圧力がかからないときには閉じ、塗布液の吐出を規制し、
前記液貯蔵部に押し圧力がかかるときに押し圧力に応じて開き、塗布液を吐出させ、
前記押し圧力に応じて塗布液の吐出量を変化させることを特徴とする液塗布用具である。
【０００９】
請求項３に記載の発明は、前記中棒部材は、
前記塗布カバーの吐出孔部を貫通して突出する先端に大径部を有し、
押し上げにより移動する前記大径部と、前記塗布カバーとが当接し、
前記大径部が前記スリットの押し圧力に応じた開きを規制することを特徴とする請求項２に記載の液塗布用具である。
【００１０】
請求項４に記載の発明は、前記中棒部材は、
前記塗布カバーの吐出孔部を移動可能にする環状凹み部を有し、
押し上げにより移動して前記環状凹み部の突出側段部が、前記塗布カバーに当接して前記スリットの押し圧力に応じた開きを規制することを特徴とする請求項２に記載の液塗布用具である。
【発明の効果】
【００１１】
前記構成により、この発明は、以下のような効果を有する。
【００１２】
請求項１に記載の発明では、塗布カバーの吐出先にスリットを有し、スリットは、液貯蔵部に押し圧力がかからないときには閉じ、塗布液の吐出を規制し、液貯蔵部に押し圧力がかかるときに押し圧力に応じて開き、塗布液を吐出させ、押し圧力に応じて塗布液の吐出量を変化させることで、塗布液を毛髪や頭、顔の皮膚の必要とする場所へ十分かつ適量塗布することができる。
【００１３】
請求項２に記載の発明では、中棒部材は、先端側が塗布カバーの吐出孔部を貫通して突出し、押し上げにより移動して吐出通路を開き、吐出孔部から塗布液を吐出させ、押し上げによる中棒部材の移動量の増加に応じて塗布液の吐出量を増加させることができる。さらに、塗布カバーは、吐出孔部に接続したスリットを有し、スリットは、液貯蔵部に押し圧力がかからないときには閉じ、塗布液の吐出を規制し、液貯蔵部に押し圧力がかかるときに押し圧力に応じて開き、塗布液を吐出させ、押し圧力に応じて塗布液の吐出量を変化させることで、塗布液を毛髪や頭、顔の皮膚の必要とする場所へ十分かつ適量塗布することができる。
【００１４】
請求項３に記載の発明では、中棒部材は、押し上げにより移動する大径部と、塗布カバーとが当接し、大径部がスリットの押し圧力に応じた開きを規制することで、必要以上の塗布液の吐出を抑えることができる。
【００１５】
請求項４に記載の発明では、中棒部材は、押し上げにより移動して環状凹み部の突出側段部が、塗布カバーに当接してスリットの押し圧力に応じた開きを規制することで、必要以上の塗布液の吐出を抑えることができる。
【図面の簡単な説明】
【００１６】
【図１】第１の実施の形態の薬液塗布用具の斜視図である。
【図２】第１の実施の形態の塗布部の構成及び使用状態を示す図である。
【図３】塗布部の他の実施の形態の構成を示す図である。
【図４】塗布カバーの構成を示す図である。
【図５】塗布カバーの他の実施の形態の構成を示す図である。
【図６】第２の実施の形態の塗布部の構成及び使用状態を示す図である。
【図７】第３の実施の形態の塗布部の構成及び使用状態を示す図である。
【図８】塗布カバーと中棒部材の構成を示す図である。
【図９】第４の実施の形態の塗布部の構成を示す図である。
【図１０】第４の実施の形態の塗布部の使用状態を示す図である。
【図１１】第５の実施の形態の塗布部の構成を示す図である。
【図１２】第５の実施の形態の塗布部の使用状態を示す図である。
【発明を実施するための形態】
【００１７】
以下、この発明の液塗布用具の実施の形態について説明する。この発明の実施の形態は、発明の最も好ましい形態を示すものであり、この発明はこれに限定されない。
【００１８】
（第１の実施の形態）
この実施の形態の液塗布用具は、図１に示すように構成され、図１（ａ）はキャップを外した状態を示し、図１（ｂ）はキャップを閉じた状態を示す。この液塗布用具１は、塗布部１０、液貯蔵部２０を有し、この液貯蔵部２０に塗布部１０が螺着して取り付けられている。この塗布部１０には、キャップ３０が螺着して取り付けられる。塗布部１０は、塗布液を毛髪や頭皮に直接塗布するように先細りに形成され、塗布液としては育毛剤や整髪料、化粧液、洗浄剤、美容剤、虫刺され消毒液、点眼液、湿布液、調味料、点滴液等に用いられる。液貯蔵部２０は、塗布液を貯留しており、塗布部１０と連通し塗布液を供給する。
【００１９】
液貯蔵部２０は、軟質プラスチック、半硬質プラスチック、硬質プラスチックなどで成形される。例えば、軟質プラスチック及び半硬質プラスチックで成形した場合には、胴部を押すことで変形して内部の塗布液に押し圧力がかかり、硬質プラスチックで成形した場合でも全体、あるいは一部の肉厚を薄くすることで変形して内部の塗布液に押し圧力がかかる。また、液貯蔵部２０の一部に、凸部や蛇腹などを設けて容易に、かつ適切に手や指で押すことができるようにしてもよい。また、この実施の形態では、塗布部１０が１個設けられているが、これに限らず複数個設けてもよい。
【００２０】
この実施の形態の塗布部１０は、図２に示すように構成され、図２（ａ）は未使用時の状態を示し、図２（ｂ）は使用時の状態を示す。この塗布部１０は、吐出通路５０、塗布カバー６０を有する。吐出通路５０は、液貯蔵部２０の開口側に固定されたホルダ５１に形成され、この吐出通路５０は液貯蔵部２０の内部に連通し、液貯蔵部２０に貯留する塗布液を吐出させる。
【００２１】
塗布カバー６０は、可とう性部材で形成された構成であり、可とう性部材として樹脂又はゴムを使用する。塗布カバー６０は、基部に取付部６０ａを有し、吐出先にスリット６０ｂを有し、吐出通路５０の吐出側を覆う。取付部６０ａは、ホルダ５１の環状凹み部５１ａに嵌合して取り付け、スリット６０ｂは、液貯蔵部２０に押し圧力がかからないときには閉じ、塗布液の吐出を規制し、液貯蔵部２０に押し圧力がかかるときに押し圧力に応じて開き、塗布液を吐出させ、押し圧力に応じて塗布液の吐出量を変化させる。このスリット６０ｂは、１箇所又は複数の箇所に設けることができ、スリット６０ｂの形状は、十字、Ｙ字、Ｘ字、星字等にすることができ特に限定されない。
【００２２】
図２（ａ）の未使用時の状態では、キャップ３０を取り外して、塗布部１０を下方に向けても、液貯蔵部２０に押し圧力がかからないときには、スリット６０ｂが閉じており、塗布カバー６０の吐出先のスリット６０ｂによって塗布液が吐出しないように規制する。したがって、使用開始でキャップ３０を外して吐出先を下向きで吐出先に移動した時、あるいは液塗布用具１を使用する場所でない位置では塗布液が滴下して周囲を汚してしまうことを防ぐことができる。また、液塗布用具１は、キャップ３０を取り外した状態で倒れても塗布液が流れ出ない。
【００２３】
図２（ｂ）の使用時の状態では、塗布部１０を下方に向けて、液貯蔵部２０に押し圧力がかかるときに押し圧力に応じてスリット６０ｂが開き、塗布液を吐出させる。そして、押し圧を止めて指を液貯蔵部２０から離すと吐出液分の量が液貯蔵部２０内気圧が低下した分空気を吸入し、再度指で液貯蔵部２０を加圧し、塗布液吐出、空気吸入の繰り返しの作業で塗布する。このように、使用開始で下向きにした時、反動が塗布液が飛び出すことはなく、指で液貯蔵部２０を押して塗布液の吐出量を自分で選択し、押し圧力に応じて塗布液の吐出量を変化させることで、塗布液を毛髪や頭、顔の皮膚の必要とする場所へ十分かつ適量塗布することができる。
【００２４】
次に、塗布カバー６０の他の実施の形態を、図３に示す。図３（ａ）の実施の形態では、塗布カバー６０の吐出先をラッパ状に形成し、このラッパ部６０ｃによってスリット６０ｂから吐出する塗布液が飛散することを防止する。図３（ｂ）の実施の形態では、塗布カバー６０の吐出先をボール状に形成し、このボール部６０ｄによって塗布液を溜めて確実にスリット６０ｂから吐出させることができる。図３（ｃ）の実施の形態では、塗布カバー６０の吐出先がホルダ５１から突出しないように平面部６０ｅを設け、塗布カバー６０をホルダ５１の内側に組み込んでいる。塗布カバー６０のスリット６０ｂから塗布液を吐出させ、ホルダ５１によって擦り付けることができる。図３（ｄ）の実施の形態では、塗布カバー６０の吐出に絞り部６０ｆを設け、スリット６０ｂから塗布液を吐出させ、絞り部６０ｆによって細部まで擦り付けることができる。
【００２５】
（塗布カバーの構成）
次に、塗布カバー６０の構成を、図４及び図５に示す。図４の実施の形態は、塗布カバー６０の吐出先側に十字状のスリット６０ｂを複数形成したものであり、図５の実施の形態は、塗布カバー６０の側面から吐出先側に十字状のスリット６０ｂを複数形成したものであり、塗布液を複数のスリット６０ｂから四方に吐出させることができる。
【００２６】
（第２の実施の形態）
この実施の形態の液塗布用具は、図６に示すように構成され、図６（ａ）はキャップを閉じた状態を示し、図６（ｂ）はキャップを外した状態を示し、図６（ｃ）は使用時の状態を示す。
【００２７】
この実施の形態の塗布部１０は、吐出通路１１、中棒部材１２及び付勢手段１３を有し、ホルダ４０に組み付けられている。この吐出通路１１は、液貯蔵部２０に連通して形成され、ホルダ４０に設けられたガイド４１に形成した内側通路１１ａと、先端部４０ａに形成した吐出側通路１１ｂを有する。
【００２８】
この中棒部材１２は、樹脂で棒状に形成され、押し上げにより移動して吐出通路１１を開き塗布液を吐出させる導き機能を有し、押し上げによる中棒部材１２の移動に応じて塗布液の吐出量を変化させる。この実施の形態では、中棒部材１２は、弁部１２ａと鍔部１２ｂとを有し、弁部１２ａは内側通路１１ａを開閉する。付勢手段１３は、中棒部材１２を内側通路１１ａを閉じ方向に付勢し、中棒部材１２の押し上げ力に対して負荷を与える構成であり、この実施の形態ではバネ１３ａが用いられる。バネ１３ａは、一端部を鍔部１２ｂに固定し、他端部をガイド４１に設けられ、中棒部材１２の中棒先端部１２ｃが先端部１０ｂから突出し、かつ弁部１２ａが内側通路１１ａを閉じる方向へ常に付勢する。この実施の形態では、付勢手段１３をバネ１３ａで構成しているが、これに限定されず伸縮する樹脂を用いて構成してもよい。
【００２９】
この塗布部１０は、塗布カバー７０を有し、この塗布カバー７０は、可とう性部材で形成された構成である。塗布カバー７０は、基部に取付部７０ａを有し、吐出先に吐出孔部７０ｂとスリット７０ｃを有し、吐出通路１１の吐出側を覆う。スリット７０ｃは、吐出孔部７０ｂを中心に放射状に均等な間隔で複数個吐出孔部７０ｂに連続して形成されている。取付部７０ａは、ホルダ４０の環状凹み部４０ｂに嵌合して取り付け、中棒部材１２は、先端側が塗布カバー７０の吐出孔部７０ｂを貫通して突出し、押し上げにより移動して吐出通路１１を開き、吐出孔部７０ｂから塗布液を吐出させる。この吐出孔部７０ｂに連続して形成されたスリット７０ｃは、液貯蔵部２０に押し圧力がかからないときには閉じ、塗布液の吐出を規制し、液貯蔵部２０に押し圧力がかかるときに押し圧力に応じて開き、塗布液を吐出させ、押し圧力に応じて塗布液の吐出量を変化させる。
【００３０】
この実施の形態の液塗布用具の使用について説明する。図６（ａ）のキャップを閉じた状態では、キャップ３０によって中棒先端部１２ｃが押し上げられているが、キャップ３０によって吐出側通路１１ｂが閉じられており、塗布液は吐出しない。図６（ｂ）に示すように、キャップ３０を開くと、バネ１３ａが伸びて弁部１２ａが内側通路１１ａを閉じるために、塗布液は吐出しない。使用するときには、液塗布用具を頭部の上方に持ち上げて、図６（ｃ）に示すように、塗布部１０を下方に向けるが、スリット７０ｃは、液貯蔵部２０に押し圧力がかからないときには閉じ、塗布液の吐出を規制している。中棒先端部１２ｃを頭部に押し付けて押すことで、バネ１３ａが縮み中棒部材１２は押し上げにより移動して弁部１２ａが内側通路１１ａを開き、塗布液が内側通路１１ａを流下し、さらに吐出側通路１１ｂに流れ込み、中棒先端部１２ｃの周囲が案内となって塗布液を吐出孔部７０ｂから吐出させることができる。さらに、使用者が中棒先端部１２ｃを頭皮に押し当て、中棒部材１２を押し上げると、この押し上げによる中棒部材１２の移動中に、手で液貯蔵部２０を摘み、これによって液貯蔵部２０に押し圧力がかかると、この押し圧力に応じてスリット７０ｃが開き、塗布液を吐出させる。これによって、押し圧力に応じて塗布液の吐出量を変化させ、塗布液を毛髪や頭、顔の皮膚の必要とする場所へ十分かつ適量塗布することができる。
【００３１】
（第３の実施の形態）
この実施の形態の薬液塗布用具は、第２の実施の形態と同様に構成されるが、図７に示すように、中棒部材１２は弁部１２ｄを有し、この弁部１２ｄとガイド４１との間に付勢手段１３のバネ１３ａを設け、弁部１２ｄによって吐出側通路１１ｂを開閉する構成である。
【００３２】
この実施の形態では、図７（ａ）に示すように、使用するときには、液塗布用具を頭部の上方に持ち上げて、塗布部１０を下方に向けるが、スリット７０ｃは、液貯蔵部２０に押し圧力がかからないときには閉じ、塗布液の吐出を規制している。図７（ｂ）に示すように、中棒先端部１２ｃを頭部に押し付けて押すことで、バネ１３ａが縮み中棒部材１２は押し上げにより移動して弁部１２ｄが内側通路１１ａを開き、塗布液が内側通路１１ａを流下し、さらに吐出側通路１１ｂに流れ込み、中棒先端部１２ｃの周囲が案内となって塗布液を吐出孔部７０ｂから吐出させることができる。さらに、使用者が中棒先端部１２ｃを頭皮に押し当て、中棒部材１２を押し上げると、この押し上げによる中棒部材１２の移動中に、手で液貯蔵部２０を摘み、これによって液貯蔵部２０に押し圧力がかかると、この押し圧力に応じてスリット７０ｃが開き、塗布液を吐出させる。これによって、押し圧力に応じて塗布液の吐出量を変化させ、塗布液を毛髪や頭、顔の皮膚の必要とする場所へ十分かつ適量塗布することができる。
【００３３】
（塗布カバーと中棒部材の構成）
次に、塗布カバー７０と中棒部材１２の構成を、図８に基づいて説明する。塗布カバー７０のスリット７０ｃは、吐出孔部７０ｂを中心に放射状に均等な間隔で２個吐出孔部７０ｂに連続して形成されているが、１個でも、３個以上の複数個でもよい。吐出孔部７０ｂの径は、中棒部材１２の外径より０．１ｍｍ〜０．３ｍｍ小さくし、この押し上げによる中棒部材１２の移動中に吐出孔部７０ｂと中棒部材１２との間から塗布液が吐出し、液貯蔵部２０に押し圧力がかかると、この押し圧力に応じてスリット７０ｃが開き、塗布液を吐出させ、押し圧力に応じて塗布液の吐出量を変化させることができる。
【００３４】
（第４の実施の形態）
この実施の形態の液塗布用具は、第２の実施の形態と同様に構成されるが、図９及び図１０に示すように、中棒部材１２は、塗布カバー７０の吐出孔部７０ｂを貫通して突出する先端に大径部１２ｆを有する。液塗布用具の使用前は、図９に示すように、中棒部材１２の大径部１２ｆは、塗布カバー７０に当接しないでいるが、使用時には、図１０に示すように、押し上げにより中棒部材１２が移動し、液貯蔵部２０に押し圧力がかかると、この押し圧力に応じてスリット７０ｃが開き、塗布液を吐出させ、押し圧力に応じて塗布液の吐出量を変化させることができる。そして、大径部１２ｆが塗布カバー７０に当接すると、大径部１２ｆがスリット７０ｃの押し圧力に応じた開きを規制し、これ以上開かないようにする。
【００３５】
（第５の実施の形態）
この実施の形態の液塗布用具は、第２の実施の形態と同様に構成されるが、図１１及び図１２に示すように、中棒部材１２は、塗布カバー７０の吐出孔部７０ｂを貫通し、この貫通する部分に環状凹み部１２ｇが形成され、塗布カバー７０の吐出孔部７０ｂが環状凹み部１２ｇを移動可能になっている。液塗布用具の使用前は、図１１に示すように、中棒部材１２の環状凹み部１２ｇの突出側段部１２ｇ１は、塗布カバー７０に当接しないでいるが、使用時には、図１２に示すように、押し上げにより中棒部材１２が移動し、液貯蔵部２０に押し圧力がかかると、この押し圧力に応じてスリット７０ｃが開き、塗布液を吐出させ、押し圧力に応じて塗布液の吐出量を変化させることができる。そして、押し上げにより移動して環状凹み部１２ｇの突出側段部１２ｇ１が、塗布カバー７０に当接すると、突出側段部１２ｇ１がスリット７０ｃの押し圧力に応じた開きを規制し、これ以上開かないようにする。
【産業上の利用可能性】
【００３６】
この発明は、育毛剤や整髪料、洗浄剤、化粧剤、美容剤等の塗布液を貯留する液貯蔵部を有し、これらの塗布液を毛髪や頭、顔の皮膚の必要とする場所へ適量塗布することのできる液塗布用具に適用でき、塗布液を毛髪や頭、顔の皮膚の必要とする場所へ十分かつ適量塗布することができる。
【符号の説明】
【００３７】
１  液塗布用具
１０  塗布部
１０ｂ  先端部
１１  吐出通路
１１ａ  内側通路
１１ｂ  吐出側通路
１２  中棒部材
１２ａ  弁部
１２ｂ  鍔部
１２ｃ  中棒先端部
１２ｆ  大径部
１２ｇ    環状凹み部
１２ｇ１  突出側段部
１３  付勢手段
１３ａ  バネ
２０  液貯蔵部
３０  キャップ
５０  吐出通路
４０，５１  ホルダ
４０ａ  先端部
４０ｂ  環状凹み部
４１  ガイド
５１ａ  環状凹み部
６０，７０  塗布カバー
６０ａ，７０ａ  取付部
６０ｂ  スリット
６０ｃ  ラッパ部
６０ｄ  ボール部
６０ｆ  絞り部
７０ｂ  吐出孔部
７０ｃ  スリット
【図１】
2015196519.tif 000003
【図２】
2015196519.tif 000004
【図３】
2015196519.tif 000005
【図４】
2015196519.tif 000006
【図５】
2015196519.tif 000007
【図６】
2015196519.tif 000008
【図７】
2015196519.tif 000009
【図８】
2015196519.tif 000010
【図９】
2015196519.tif 000011
【図１０】
2015196519.tif 000012
【図１１】
2015196519.tif 000013
【図１２】
2015196519.tif 000014